(57)【要約】【課題】プラスチックボトルを軽量化した場合であっても、その容量を確保するとともに、ボトル内部の減圧による変形を防止することが可能なプラスチックボトルを提供する。【解決手段】プラスチックボトル１０は、口部１１と、肩部１２と、胴部２０と、底部３０とを備えている。胴部２０は、中央部の中央水平方向溝２６を介して上半部２０Ａと下半部２０Ｂとに区画されている。胴部２０の上半部２０Ａと下半部２０Ｂとに、それぞれ複数の水平方向溝２７〜２９が形成され、複数の水平方向溝２７〜２９は、最大の深さをもつ第１水平方向溝２７と、中間の深さをもつ第２水平方向溝２８と、最小の深さをもつ第３水平方向溝２９とを含み、これら水平方向溝２７〜２９の開き角が互いに異なっている。【選択図】図１
2014069840.tif 000002
【特許請求の範囲】
【請求項１】
プラスチックボトルにおいて、
口部と、
肩部と、
胴部と、
底部とを備え、
胴部は、中央部の中央水平方向溝を介して上半部と下半部とに区画され、
胴部の上半部と下半部とに、それぞれ複数の水平方向溝が形成され、
上半部および下半部にそれぞれ形成された複数の水平方向溝は、少なくとも２種類の深さの水平方向溝を含み、
これら少なくとも２種類の深さの水平方向溝は、互いに異なる開き角をもつことを特徴とするプラスチックボトル。
【請求項２】
上半部および下半部にそれぞれ形成された複数の水平方向溝は、最大の深さをもつ第１水平方向溝と、中間の深さをもつ第２水平方向溝と、最小の深さをもつ第３水平方向溝とを含むことを特徴とする請求項１記載のプラスチックボトル。
【請求項３】
中央水平方向溝の深さは、第１水平方向溝の深さと同一であることを特徴とする請求項２記載のプラスチックボトル。
【請求項４】
第２水平方向溝が最大の開き角をもち、第１水平方向溝が中間の開き角をもち、第３水平方向溝が最小の開き角をもつことを特徴とする請求項２又は３記載のプラスチックボトル。
【請求項５】
中央水平方向溝の開き角は、第１水平方向溝の開き角と同一であることを特徴とする請求項２乃至４のいずれか一項記載のプラスチックボトル。
【請求項６】
第１水平方向溝、第２水平方向溝および第３水平方向溝の開き角は、４５°〜１５０°であることを特徴とする請求項２乃至５のいずれか一項記載のプラスチックボトル。
【請求項７】
胴部のうち水平方向溝が形成されていない領域は、肩部直下から底部直上まで均一の径を有することを特徴とする請求項１乃至６のいずれか一項記載のプラスチックボトル。
【請求項８】
胴部の上半部と下半部とに形成された複数の水平方向溝は、中央水平方向溝を基準として上下対称に配置されていることを特徴とする請求項１乃至７のいずれか一項記載のプラスチックボトル。
【発明の詳細な説明】
【技術分野】
【０００１】
本発明は、主として飲食品等の内容液を収容するプラスチックボトルに関する。
【背景技術】
【０００２】
近時、飲食品等の内容液を収容するボトルとして、プラスチック製のものが一般化してきており、このようなプラスチックボトルは内容液を収容したのち積載される。
【０００３】
このような内容液を収容するプラスチックボトルは、全体として軽量化が求められている。また、一般に、プラスチックボトルに内容液を充填した後、内容液の比重が変化したり、内容液がプラスチックボトルの空寸部に存在する酸素を吸収したりするため、ボトル内部が減圧する現象が知られている。しかしながら、プラスチックボトルを軽量化した場合、その厚みが薄くなるため、このような減圧が生じた場合にプラスチックボトルが変形しやすくなってしまう。
【先行技術文献】
【特許文献】
【０００４】
【特許文献１】特開２００２−１９３２２９号公報
【特許文献２】特開２００３−２８５８１４号公報
【発明の概要】
【発明が解決しようとする課題】
【０００５】
一方、プラスチックボトルの胴部に減圧吸収パネルを設けることにより、プラスチックボトル内部の減圧を吸収する技術も知られている（特許文献１）。しかしながら、このような減圧吸収パネルを設けた場合、減圧吸収パネルの大きさの分、プラスチックボトルの容量が減少してしまうという問題がある。
【０００６】
また、プラスチックボトルの胴部に周状リブを等間隔に配置したものも知られているが（特許文献２）、このようなプラスチックボトルを軽量化した場合、ボトル内部の減圧を十分に吸収することは難しい。一方、周状リブを大きくすることも考えられるが、この場合、プラスチックボトルの容量が減少してしまうおそれがある。
【０００７】
本発明はこのような点を考慮してなされたものであり、プラスチックボトルを軽量化した場合であっても、その容量を確保するとともに、ボトル内部の減圧による変形を防止することが可能なプラスチックボトルを提供することを目的とする。
【課題を解決するための手段】
【０００８】
本発明は、プラスチックボトルにおいて、口部と、肩部と、胴部と、底部とを備え、胴部は、中央部の中央水平方向溝を介して上半部と下半部とに区画され、胴部の上半部と下半部とに、それぞれ複数の水平方向溝が形成され、上半部および下半部にそれぞれ形成された複数の水平方向溝は、少なくとも２種類の深さの水平方向溝を含み、これら少なくとも２種類の深さの水平方向溝は、互いに異なる開き角をもつことを特徴とするプラスチックボトルである。
【０００９】
本発明は、上半部および下半部にそれぞれ形成された複数の水平方向溝は、最大の深さをもつ第１水平方向溝と、中間の深さをもつ第２水平方向溝と、最小の深さをもつ第３水平方向溝とを含むことを特徴とするプラスチックボトルである。
【００１０】
本発明は、中央水平方向溝の深さは、第１水平方向溝の深さと同一であることを特徴とするプラスチックボトルである。
【００１１】
本発明は、第２水平方向溝が最大の開き角をもち、第１水平方向溝が中間の開き角をもち、第３水平方向溝が最小の開き角をもつことを特徴とするプラスチックボトルである。
【００１２】
本発明は、中央水平方向溝の開き角は、第１水平方向溝の開き角と同一であることを特徴とするプラスチックボトルである。
【００１３】
本発明は、第１水平方向溝、第２水平方向溝および第３水平方向溝の開き角は、４５°〜１５０°であることを特徴とするプラスチックボトルである。
【００１４】
本発明は、胴部のうち水平方向溝が形成されていない領域は、肩部直下から底部直上まで均一の径を有することを特徴とするプラスチックボトルである。
【００１５】
本発明は、胴部の上半部と下半部とに形成された複数の水平方向溝は、中央水平方向溝を基準として上下対称に配置されていることを特徴とするプラスチックボトルである。
【発明の効果】
【００１６】
本発明によれば、上半部および下半部にそれぞれ形成された複数の水平方向溝は、少なくとも２種類の深さの水平方向溝を含み、これら少なくとも２種類の深さの水平方向溝は、互いに異なる開き角をもつ。このためプラスチックボトルを軽量化した場合であっても、その容量を確保するとともに、ボトル内部の減圧による変形を防止することができる。
【図面の簡単な説明】
【００１７】
【図１】図１は、本発明の一実施の形態によるプラスチックボトルを示す正面図。
【図２】図２は、本発明の一実施の形態によるプラスチックボトルを示す底面図。
【図３】図３（ａ）〜（ｃ）は、それぞれ胴部の第１水平方向溝、第２水平方向溝および第３水平方向溝を示す垂直断面図。
【図４】図４（ａ）〜（ｂ）は、それぞれプラスチックボトル内部を減圧する前と後とにおける、水平方向溝の垂直断面図。
【図５】図５は、比較例としてのプラスチックボトルを示す正面図。
【図６】図６は、比較例としてのプラスチックボトルを示す底面図。
【発明を実施するための形態】
【００１８】
以下、図面を参照して本発明の一実施の形態について説明する。図１乃至図４は本発明の一実施の形態を示す図である。
【００１９】
まず、図１乃至図３により、本実施の形態によるプラスチックボトルの概要について説明する。なお、本明細書中、「上」および「下」とは、それぞれプラスチックボトル１０を正立させた状態（図１）における上方および下方のことをいう。
【００２０】
図１乃至図３に示すプラスチックボトル１０は、射出成形により得られるプリフォームを準備し、このプリフォームに対して二軸延伸ブロー成形を施すことにより作製される。このようなプラスチックボトル１０は、例えば４５０ｍｌ〜６５０ｍｌの容積をもつ軽量のボトルからなっている。
【００２１】
プラスチックボトル１０は、口部１１と、口部１１下方に設けられた肩部１２と、肩部１２下方に設けられた胴部２０と、胴部２０下方に設けられた底部３０とを備えている。
【００２２】
このうち胴部２０は、全体として円筒形状を有しており、その上下方向中央部に位置する中央水平方向溝２６を介して上半部２０Ａと下半部２０Ｂとに区画されている。これら上半部２０Ａと下半部２０Ｂとには、それぞれ複数の水平方向溝２７〜２９が形成されている。
【００２３】
複数の水平方向溝２７〜２９は、少なくとも２種類の深さの水平方向溝を含んでいる。具体的には、水平方向溝２７〜２９は、最大の深さをもつ第１水平方向溝２７と、中間の深さをもつ第２水平方向溝２８と、最小の深さをもつ第３水平方向溝２９とを含んでいる。なお、中央水平方向溝２６の深さは、第１水平方向溝２７の深さと同一である。
【００２４】
また、複数の水平方向溝２７〜２９は、少なくとも２種類の開き角の水平方向溝を含んでいる。この場合、水平方向溝２７〜２９のうち、第２水平方向溝２８が最大の開き角Ｒ２をもち、第１水平方向溝２７が中間の開き角Ｒ１をもち、第３水平方向溝２９が最小の開き角Ｒ３をもっている。なお、中央水平方向溝２６の開き角Ｒ０は、第１水平方向溝２７の開き角Ｒ１と同一である。
【００２５】
これら水平方向溝２６〜２９は、それぞれ胴部２０の円周方向全周に延びており、その深さ、開き角および上下方向の幅は、それぞれ円周方向全周にわたって均一である。
【００２６】
この場合、胴部２０の上半部２０Ａには、肩部１２側から中央水平方向溝２６側に向けて、第２水平方向溝２８、第３水平方向溝２９、第３水平方向溝２９、第１水平方向溝２７、第２水平方向溝２８がこの順に形成されている。
【００２７】
一方、胴部２０の下半部２０Ｂには、底部３０側から中央水平方向溝２６側に向けて、第２水平方向溝２８、第３水平方向溝２９、第３水平方向溝２９、第１水平方向溝２７、第２水平方向溝２８がこの順に形成されている。
【００２８】
このように、胴部２０の上半部２０Ａと下半部２０Ｂとに形成された第１水平方向溝２７、第２水平方向溝２８および第３水平方向溝２９は、中央水平方向溝２６を基準として（位置関係及び間隔の両方とも）上下対称に配置されている。これにより、プラスチックボトル１０の内部が減圧した際、各水平方向溝２６〜２９によって、この減圧を上半部２０Ａと下半部２０Ｂとで均等に吸収することができる。
【００２９】
なお、胴部２０の上半部２０Ａおよび下半部２０Ｂに形成された水平方向溝２６〜２９のうち、中央水平方向溝２６および２本の第１水平方向溝２７は、主として、プラスチックボトル１０の内部が減圧した際、上下方向に収縮することにより、減圧を吸収する機能を発揮する。また、中央水平方向溝２６および２本の第１水平方向溝２７は、変形しやすい部分である胴部２０の中央部周辺の強度を高める役割も果たしている。
【００３０】
中央水平方向溝２６の上下に位置する２本の第２水平方向溝２８は、主として、変形しやすい部分である胴部２０の中央部周辺の強度を高める役割を果たす。
【００３１】
４本の第３水平方向溝２９は、主として、上半部２０Ａおよび下半部２０Ｂのうち、上半部２０Ａおよび下半部２０Ｂの中央領域周辺の強度を高め、この部分が水平方向に凹むことを防止する役割を果たす。また、この４本の第３水平方向溝２９は、補助的に、上下方向に収縮することにより減圧を吸収する機能も発揮する。なお、第３水平方向溝２９の深さが（例えば第１水平方向溝２７又は第２水平方向溝２８程度に）大きすぎないことにより、プラスチックボトル１０の容量が減少することを防止することができる。
【００３２】
肩部１２および底部３０の近傍に各々設けられた２本の第２水平方向溝２８は、主として、胴部２０のうち比較的変形しやすい部分である肩部１２および底部３０周辺領域の強度を高める役割を果たす。
【００３３】
一方、胴部２０のうち、水平方向溝２６〜２９が形成されていない領域は、円筒面２５からなっている。すなわち、各水平方向溝２６〜２９同士の間には、円筒面２５が形成されている。このように、胴部２０は、各水平方向溝２６〜２９および円筒面２５のみから構成されている。
【００３４】
この水平方向溝２６〜２９が形成されていない領域（円筒面２５）は、肩部１２の直下から底部３０の直上まで均一の径を有している。これにより、プラスチックボトル１０を自動販売機内で横向きに収納した際、隣接する他のプラスチックボトル１０に対して広い面積で接触させることができるので、自動販売機内で胴部２０が変形することを防止することができる。
【００３５】
一方、図２に示すように、底部３０は、中央に位置する円形状の凹部３１と、この凹部３１から放射状に延びる放射状リブ３２とを有している。なお、図２において、放射状リブ３２の本数は７本であるが、これに限らず、例えば５本〜１１本の範囲で設定しても良い。このように放射状リブ３２を配置したことにより、底部３０の強度を高め、底部３０に変形が生じにくいようになっている。
【００３６】
次に、図３（ａ）〜（ｃ）を用いて、水平方向溝２６〜２９の形状について更に説明する。なお、図３（ａ）は、中央水平方向溝２６および第１水平方向溝２７の垂直断面図であり、図３（ｂ）は、第２水平方向溝２８の垂直断面図であり、図３（ｃ）は、第３水平方向溝２９の垂直断面図である。
【００３７】
図３（ａ）に示すように、中央水平方向溝２６および第１水平方向溝２７は、複数の水平方向溝２６〜２９の中で最大の深さｄａをもつとともに第２水平方向溝２８と第３水平方向溝２９との中間の上下方向幅ｗａを有している。また、中央水平方向溝２６および第１水平方向溝２７は、第２水平方向溝２８と第３水平方向溝２９との中間の開き角Ｒ１をもっている。
【００３８】
また、図３（ｂ）に示すように、第２水平方向溝２８は、第１水平方向溝２７と第３水平方向溝２９との中間の深さｄｂをもつとともに最大の上下方向幅ｗｂを有している。また、第２水平方向溝２８は、複数の水平方向溝２６〜２９の中で最大の開き角Ｒ２をもっている。なお、第２水平方向溝２８の深さｄｂは、中央水平方向溝２６および第１水平方向溝２７の深さｄａの２０％〜９０％とすることが好ましい。また、第２水平方向溝２８の上下方向幅ｗｂは、中央水平方向溝２６および第１水平方向溝２７の上下方向幅ｗａの１００％〜２００％とすることが好ましい。
【００３９】
さらに、図３（ｃ）に示すように、第３水平方向溝２９は、複数の水平方向溝２６〜２９の中で最小の深さｄｃをもつとともに最小の上下方向幅ｗｃを有している。また、第３水平方向溝２９は、複数の水平方向溝２６〜２９の中で最小の開き角Ｒ３をもっている。なお、第３水平方向溝２９の深さｄｃは、中央水平方向溝２６および第１水平方向溝２７の深さｄａの５％〜７０％とすることが好ましい。また、第３水平方向溝２９の上下方向幅ｗｃは、中央水平方向溝２６および第１水平方向溝２７の上下方向幅ｗａの３０％〜１００％とすることが好ましい。
【００４０】
これら水平方向溝２６〜２９は、図３（ａ）〜（ｃ）に示すように、断面において平坦な垂直面からなる底面４１と、底面４１に連接する内側湾曲面４２と、内側湾曲面４２に連接するとともに円筒面２５に対して傾斜する側面４３と、側面４３と円筒面２５とを連結する外側湾曲面４４とを有している。
【００４１】
この場合、底面４１の上下方向の長さＬｘは、水平方向溝２６〜２９の間で全て同一となっている。底面４１の上下方向の長さＬｘを全て同一にしたことにより、側壁荷重時の応力を全体的に平均化し、より安定的に形状を維持する事が容易であるという効果が得られる。
【００４２】
なお、水平方向溝２６〜２９の開き角Ｒ０〜Ｒ３とは、図３（ａ）〜（ｃ）に示すように、その垂直断面において上下の側面４３によって形成される角度をいう。水平方向溝２６〜２９の開き角Ｒ０〜Ｒ３は、４５°〜１５０°（４５°以上１５０°以下をいう。他の箇所においても同様）とすることが好ましい。具体的には、中央水平方向溝２６の開き角Ｒ０および第１水平方向溝２７の開き角Ｒ１は、例えば５５°〜６５°の範囲の所定角度とすることが好ましい。第２水平方向溝２８の開き角Ｒ２は、例えば７０°〜１５０°の範囲の所定角度とすることが好ましく、７０°〜１３０°の範囲の所定角度とすることが更に好ましい。また、第３水平方向溝２９の開き角Ｒ３は、例えば４５°〜５５°の範囲の所定角度とすることが好ましい。水平方向溝２６〜２９の開き角Ｒ０〜Ｒ３をこの範囲にした場合、減圧時に上下方向の変形が容易であり、且つ垂直荷重、側壁荷重時の強度が優れているという効果が得られる。
【００４３】
また胴部２０の円筒面２５におけるプラスチックボトル１０の厚みは、これに限定されるものではないが、例えば５０μｍ〜２５０μｍ程度に薄くすることができる。さらに、プラスチックボトル１０の重量についても、これに限定されるものではないが、１０ｇ〜２０ｇとすることができる。このようにプラスチックボトル１０の肉厚を薄くすることにより、プラスチックボトル１０の軽量化を図ることができる。
【００４４】
このようなプラスチックボトル１０は、合成樹脂材料を射出成形して製作したプリフォームを二軸延伸ブロー成形することにより作製することができる。なおプリフォーム、すなわちプラスチックボトル１０の材料としては熱可塑性樹脂、特にＰＥ（ポリエチレン）、ＰＰ（ポリプロピレン）、ＰＥＴ（ポリエチレンテレフタレート）、ＰＥＮ（ポリエチレンナフタレート）を使用する事が好ましい。
【００４５】
また、プラスチックボトル１０は、２層以上の多層成形ボトルとして形成することもできる。すなわち押し出し成形または射出成形により、例えば、中間層をＭＸＤ６、ＭＸＤ６＋脂肪酸塩、ＰＧＡ（ポリグリコール酸）、ＥＶＯＨ（エチレンビニルアルコール共重合体）又はＰＥＮ（ポリエチレンナフタレート）等のガスバリア性及び遮光性を有する樹脂（中間層）として３層以上からなるプリフォームを押出成形後、吹込成形することによりガスバリア性及び遮光性を有する多層ボトルを形成しても良い。なお、このような中間層は、プラスチックボトル１０のうち少なくとも胴部２０内に設けることが好ましい。また底部３０において、底部３０の中央部を除く領域に中間層を設けることが好ましい。ケース落下等の衝撃を受けた際この部分がデラミ（層間剥離）を起こすおそれがあるからである。ガスバリア性及び遮光性を有する為に、多層にするだけでなく熱可塑性樹脂同士をブレンドしたブレンドボトルを形成しても良い。
【００４６】
次にこのような構成からなる本実施の形態の作用について説明する。
【００４７】
まず、空のプラスチックボトル１０を準備し、このプラスチックボトル１０内に例えば飲料等の内容液を充填する。続いて、口部１１を図示しないキャップにより閉栓する。プラスチックボトル１０を閉栓した後、内容液の比重が変化したり、内容液がプラスチックボトル１０の空寸部（ヘッドスペース）に存在する酸素を吸収したりするため、プラスチックボトル１０の内部が減圧された状態となる。このようにプラスチックボトル１０の内部に負圧が生じると、プラスチックボトル１０の内方に向かって応力が発生する。
【００４８】
これに対して本実施の形態においては、胴部２０に複数の水平方向溝２６〜２９が形成されている。これら水平方向溝２６〜２９は、プラスチックボトル１０の内部が減圧された際、それぞれ上下方向に変形する。
【００４９】
すなわち、図４（ａ）〜（ｂ）に示すように、水平方向溝２６〜２９が上下方向に圧縮されるように変形する。なお、図４（ａ）はプラスチックボトル１０の内部が減圧される前の水平方向溝２６〜２９の垂直断面図であり、図４（ｂ）はプラスチックボトル１０の内部が減圧された後の水平方向溝２６〜２９の垂直断面図である。
【００５０】
プラスチックボトル１０の内部が減圧された際（図４（ｂ））、水平方向溝２６〜２９の開き角Ｒｙは、減圧される前（図４（ａ））の開き角Ｒｘ（Ｒ０〜Ｒ３）と比べて小さくなる（Ｒｘ＞Ｒｙ）。また、水平方向溝２６〜２９の上下方向幅ｗｙは、減圧される前の上下方向幅ｗｘ（ｗａ、ｗｂ、ｗｃ）と比べて小さくなる（ｗｘ＞ｗｙ）。一方、水平方向溝２６〜２９の底面４１の長さＬｙは、減圧される前（図４（ａ））の底面４１の長さＬｘと比べてほとんど変化しない（Ｌｘ＝Ｌｙ）。
【００５１】
このように水平方向溝２６〜２９が上下方向に変形するので、プラスチックボトル１０が高さ方向に減縮する。この結果、プラスチックボトル１０の体積が全体として減少し、ボトルの減圧分を吸収することができる。一方、プラスチックボトル１０には、外観上大きな変形は生じない。具体的には、密閉したプラスチックボトル１０に内容物を充填し、この充填した内容物をプラスチックボトル１０の容量の２％抜き取った際に、胴部２０の高さが１％以上低くなることが好ましい。
【００５２】
その後、内容液が充填されたプラスチックボトル１０は、横向きにされた状態で自動販売機内に収容される。この場合、胴部２０は水平方向溝２６〜２９によって補強されているので、自動販売機内で胴部２０に変形が生じることが防止される。
【００５３】
また、本実施の形態においては、胴部２０は、各水平方向溝２６〜２９および円筒面２５のみから構成されているので、胴部２０に減圧吸収パネルを設ける必要が無い。このため、減圧吸収パネルによってプラスチックボトル１０の容量が大きく減少することもない。
【００５４】
とりわけ、本実施の形態によれば、上半部２０Ａおよび下半部２０Ｂにそれぞれ異なる深さを有する複数の水平方向溝２７〜２９が形成されている。このことにより、胴部２０のうち変形しやすい部分の強度を重点的に高めるとともに、プラスチックボトル１０の内部が減圧した際にその減圧を吸収することができる。また、水平方向溝２７〜２９を設けたことに伴ってプラスチックボトル１０の容量が大きく減少することがなく、その容量を確保することができる。
【００５５】
なお、本実施の形態においては、胴部２０の上半部２０Ａおよび下半部２０Ｂは、それぞれ３種類の深さの水平方向溝２１〜２４を含んでいる。また、胴部２０の上半部２０Ａおよび下半部２０Ｂは、それぞれ３種類の開き角の水平方向溝２６〜２９を含んでいる。しかしながら、これに限られるものではなく、胴部２０の上半部２０Ａおよび下半部２０Ｂは、それぞれ２種類又は４種類以上の深さをもつ水平方向溝２１〜２４を含んでいても良い。また、胴部２０の上半部２０Ａおよび下半部２０Ｂは、それぞれ２種類又は４種類以上の開き角をもつ水平方向溝２６〜２９を含んでいても良い。
【実施例】
【００５６】
次に本発明の具体的実施例について説明する。
【００５７】
（実施例）
まず、図１乃至図４に示す構成からなる、容量６１５ｍｌのプラスチックボトル１０を作製した。
【００５８】
この場合、射出成形により１８．３ｇおよび２８ｇのＰＥＴ単層プリフォームを作製し、このプリフォームに対して二軸延伸ブロー成形することにより容量６１５ｍｌのプラスチックボトル１０を作製した。
【００５９】
得られたプラスチックボトル１０に水を６００ｍｌ充填し、ゴム栓付のキャップにてキャッピングを行った。
【００６０】
その後、注射器を用いて、内容物である水を１２．３ｍＬ（容量の２％）だけ抜き取り、抜き取った前後でプラスチックボトル１０の全高を測定して比較した（表１）。なお、表中、全高収縮量（率）とは、プラスチックボトル１０に充填された水を抜き取る前後でその全高が収縮した量（割合）を示している。
【００６１】
また、プラスチックボトル１０の内圧を測定したまま、内容物である水を抜き取ることにより、負圧最低到達点を測定した（表２）。なお、負圧最低到達点とは、プラスチックボトル１０に充填された水を抜き取ることにより、プラスチックボトル１０を大気圧（約１０１ｋＰａ）から徐々に減圧していった際に、ボトル内の圧力波形がピークとして確認された圧力をいう。一般に、負圧最低到達点に達した場合、プラスチックボトル１０の外観には、陥没変形、楕円変形、屈曲変形等の大きな変形が生じる。
【００６２】
（比較例）
他方、比較例として、図５および図６に示す、容量６１５ｍｌのプラスチックボトル１０を作製した。図５および図６に示すプラスチックボトル１００は、口部１１１と、肩部１１２と、胴部１２０と、底部１３０とを備え、胴部１２０は水平方向溝１２３によって、上半部１２１と下半部１２２とに区画されている。
【００６３】
このうち上半部１２１には、円周方向全周に延びる複数の円周方向溝１３５が設けられている。また胴部１２０の下半部１２２には、垂直方向に延びる柱状リブ１３７と、柱状リブ１３７間に形成され、垂直方向に延びる減圧吸収パネル１３６とが設けられている。また胴部１２０の下半部１２２の下方部には円周方向に延びる補強リブ１２４が設けられている。
【００６４】
この場合、射出成形により１８．３ｇおよび２８ｇのＰＥＴ単層プリフォームを作製し、このプリフォームに対して二軸延伸ブロー成形することにより容量６１５ｍｌのプラスチックボトル１００を作製した。
【００６５】
得られたプラスチックボトル１００に水を６００ｍｌ充填し、ゴム栓付のキャップにてキャッピングを行った。
【００６６】
その後、注射器を用いて、内容物である水を１２．３ｍＬ（容量の２％）だけ抜き取り、抜き取った前後でプラスチックボトル１００の全高を測定して比較した（表１）。
【００６７】
また、プラスチックボトル１００の内圧を測定したまま、内容物である水を抜き取ることにより、負圧最低到達点を測定した（表２）。
【００６８】
【表１】
2014069840.tif 000003
【００６９】
表１に示すように、実施例のプラスチックボトル１０においては、密閉した容器に充填した内容物をその容量の２％だけ抜き取った際、プラスチックボトル１０の全高が１％以上低くなることが判明した。一方、比較例のプラスチックボトル１００においては、密閉した容器に充填した内容物をその容量の２％抜き取った際に、プラスチックボトル１０の全高が１％未満しか低くならなかった。
【００７０】
【表２】
2014069840.tif 000004
【００７１】
また、表２に示すように、実施例によるプラスチックボトル１０は、比較例によるプラスチックボトル１００よりも負圧最低到達点が低かった。すなわち、実施例によるプラスチックボトル１０は、内部が負圧になっても大変形（陥没変形、楕円変形、屈曲変形等）が生じにくい形状であることが確認できた。
【００７２】
このように、実施例によるプラスチックボトル１０は、比較例によるプラスチックボトル１００と比べて、内部が減圧された際に大きな変形が生じることなく、高さ方向により大きく減縮した。このため、プラスチックボトル１０の体積が全体として減少し、その減圧分を吸収することができると考えられる。
【００７３】
なお、上記については、プラスチックボトルの重量が１８．３ｇのものと２８ｇのものとの両方について当てはまる。
【符号の説明】
【００７４】
１０        プラスチックボトル
１１        口部
１２        肩部
２０        胴部
２０Ａ      上半部
２０Ｂ      下半部
２５        円筒面
２６        中央水平方向溝
２７        第１水平方向溝
２８        第２水平方向溝
２９        第３水平方向溝
３０        底部
３１        凹部
３２        放射状リブ
【図１】
2014069840.tif 000005
【図２】
2014069840.tif 000006
【図３】
2014069840.tif 000007
【図４】
2014069840.tif 000008
【図５】
2014069840.tif 000009
【図６】
2014069840.tif 000010